(57)【要約】【課題】巻線の弛みによる、結合係数の低下を防止して、特性の安定したコモンモードチョークコイルを得る。【解決手段】フェライトコア２の少なくとも巻芯部３の巻回部の端部が位置する領域に、係止部７ａ、７ｂを備える。巻線Ａ、Ｂを係止部７ａ、７ｂに引っ掛けることにより、導線接合時の導線の伸びに起因する巻線の弛みを抑えて、巻始めまたは巻終わりの１ターンの一対の導線の間に隙間が生じるのを防ぐ。【選択図】図１
2007208227.tif 000002
【特許請求の範囲】
【請求項１】
フェライトコアの巻芯部の軸方向両端に鍔部が設けられ、前記鍔部の下面に複数の脚部が設けられ、該複数の脚部にそれぞれ端子電極が形成され、前記巻芯部に複数本の巻線が巻回された巻回部が形成されるとともに、前記巻回部の端部からそれぞれ引出部が延びて前記端子電極に導電接続されたコモンモードチョークコイルにおいて、
前記フェライトコアは、少なくとも前記巻芯部の前記巻回部の端部が位置する領域に、係止部を備えている
ことを特徴とするコモンモードチョークコイル。
【請求項２】
前記係止部は、溝であることを特徴とする請求項１に記載のコモンモードチョークコイル。
【請求項３】
前記係止部は、突起であることを特徴とする請求項１に記載のコモンモードチョークコイル。
【発明の詳細な説明】
【技術分野】
【０００１】  本発明は、各種電子機器に使用される巻線チップ型のコモンモードチョークコイルの技術分野に属する。
【背景技術】
【０００２】  コモンモードチョークコイルは、パーソナルコンピュータに代表される各種電子機器の輻射ノイズ等のフィルタリングに使用されるコイル部品であり、高結合の複数本（２〜４本）のコイルに流れる各ライン電流のコモンモード（同位相成分）ノイズをキャンセルして除去するコイル部品の一つである。【０００３】  巻線チップ型のコモンモードチョークコイルの従来構造として、図１７乃至図２０に示されるように、フェライト材などからなるフェライトコア４２の巻芯部４３の軸方向ＡＸの両端にそれぞれ鍔部４４が設けられ、該鍔部４４の下面に複数の脚部４５ａ、４５ｂ、４５ｃ、４５ｄが設けられ、該複数の脚部の先端にそれぞれ端子電極４６ａ、４６ｂ、４６ｃ、４６ｄが形成され、前記巻芯部４３に複数本の巻線Ａ、Ｂが巻回された巻回部Ｍが形成されるとともに、前記巻回部Ｍの端部からそれぞれ引出部Ａ１１、Ａ１２、Ｂ１１、Ｂ１２が延びて、端子接合部Ａ１、Ａ２、Ｂ１、Ｂ２を介してそれぞれ前記端子電極４６ａ、４６ｃ、４６ｂ、４６ｄに半田付け、熱圧着などにより導電接続された構造のコモンモードチョークコイル４１がある。【０００４】  また、下記［特許文献１］には、端子電極が形成されている鍔部の内側の根元で巻芯部の両端に切り込み溝を設けることにより、巻線の端部が端子電極と接触して短絡するのを防止して、高い信頼性を有するコモンモードチョークコイルが示されている。【０００５】
【特許文献１】特開２００２−３１３６４６号公報
【発明の開示】
【発明が解決しようとする課題】
【０００６】  導線の終端を熱圧着する時、線を潰して圧着するので導線が伸びる。導線は四方に拡がるように伸びるので、引出部も伸びて、巻線が弛むことがあった。図２０に示すような、従来構造のフェライトコアにて巻線を行うと、図２１にしめすように、巻線がずれて巻始めまたは巻終わりの１ターンの一対の導線の間に隙間４７が生じることがあった。このため、結合係数が低下して、ノーマルモードインピーダンスが高くなるという問題があった。【０００７】  本発明は、上記のようなコモンコードチョークコイルの巻線構造の改善を行うものであり、結合係数の低下を防止して、特性がより安定した巻線型のコモンモードチョークコイルが得られる構造を提供するものである。
【課題を解決するための手段】
【０００８】  本発明は、フェライトコアの巻芯部の軸方向両端に鍔部が設けられ、前記鍔部の下面に複数の脚部が設けられ、該複数の脚部にそれぞれ端子電極が形成され、前記巻芯部に複数本の巻線が巻回された巻回部が形成されるとともに、前記巻回部の端部からそれぞれ引出し部が延びて前記端子電極に導電接続されたコモンモードチョークコイルにおいて、前記フェライトコアは、少なくとも前記巻芯部の前記巻回部の端部が位置する領域に、係止部を備えていることを特徴とするコモンモードチョークコイルを提案するものである。【０００９】  また、前記係止部が、溝であることを特徴とするコモンモードチョークコイルを提案するものである。【００１０】  また、前記係止部が、突起であることを特徴とするコモンモードチョークコイルを提案するものである。
【発明の効果】
【００１１】  本発明の構造によれば、フェライトコアに形成された係止部に巻線を引っ掛けることにより、一対の導線に隙間が生じるのを防止することができる。このことにより、結合係数の低下を防止することができ、特性の安定したコモンモードチョークコイルを得ることができる。
【発明を実施するための最良の形態】
【００１２】  本発明に係るコモンモードチョークコイルの実施の形態について、以下の図面に基づいて説明する。【００１３】  図１は第一の実施形態のコモンモードチョークコイルを示す底面図である。図２は第一の実施形態のコモンモードチョークコイルを示す上面図である。図３は第一の実施形態のコモンモードチョークコイルを示す側面図である。図４（ａ）は第一の実施形態のコモンモードチョークコイルのフェライトコアを示す底面図である。図４（ｂ）は同側面図である。図４（ｃ）は同正面図である。図５は第二の実施形態のコモンモードチョークコイルを示す底面図である。図６は第二の実施形態のコモンモードチョークコイルを示す上面図である。図７は第二の実施形態のコモンモードチョークコイルを示す側面図である。図８（ａ）は第二の実施形態のコモンモードチョークコイルのフェライトコアを示す底面図である。図８（ｂ）は同側面図である。図８（ｃ）はＸ−Ｘ‘の断面図である。図９は第三の実施形態のコモンモードチョークコイルを示す底面図である。図１０は第三の実施形態のコモンモードチョークコイルを示す上面図である。図１１は第三の実施形態のコモンモードチョークコイルを示す側面図である。図１２（ａ）は第三の実施形態のコモンモードチョークコイルのフェライトコアを示す底面図である。図１２（ｂ）は同側面図である。図１２（ｃ）はＹ−Ｙ‘の断面図である。図１３は第四の実施形態のコモンモードチョークコイルを示す底面図である。図１４は第四の実施形態のコモンモードチョークコイルを示す上面図である。図１５は第四の実施形態のコモンモードチョークコイルを示す側面図である。図１６（ａ）は第四の実施形態のコモンモードチョークコイルのフェライトコアを示す底面図である。図１６（ｂ）は同側面図である。図１６（ｃ）はＺ−Ｚ‘の断面図である。【００１４】  図１乃至図４に示すように、本発明に係る第一の実施形態のコモンモードチョークコイル１では、図４（ａ）、（ｂ）、（ｃ）に示すような、巻線部３の軸方向ＡＸの両端に鍔部４が設けられ、該鍔部４の下面には脚部５ａ、５ｂ、５ｃ、５ｄが設けられ、該巻線部３の上面及び側面で形成される稜部を含む前記鍔部付近の側面領域に溝状の係止部７ａ、７ｂを垂直中心軸周りで点対称位置になるように形成したフェライトコア２を用意し、図１に示すように、前記脚部５ａ、５ｂ、５ｃ、５ｄにそれぞれ端子電極６ａ、６ｂ、６ｃ、６ｄが設けられ、複数本（本実施形態では２本）の巻線Ａ、Ｂの端子接合部Ａ１、Ｂ１、Ａ２、Ｂ２がそれぞれ端子電極６ａ、６ｂ、６ｃ、６ｄに熱圧着などで導電接続されており、巻回部の端部Ａ３、Ｂ３、Ａ４、Ｂ４と端子接合部Ａ１、Ｂ１、Ａ２、Ｂ２との間をそれぞれ引出部Ａ１１、Ｂ１１、Ａ１２、Ｂ１２で連結されている。【００１５】  本実施形態では、図２および図３に示すように、巻回部の端部Ａ３、Ｂ３およびＡ４、Ｂ４が、係止部７ａおよび７ｂに引っ掛けられている。このように、巻線を端子電極に圧着した際に、巻線が延びて弛んでも、係止部７ａおよび７ｂによって巻線の移動が押えられるため、図２１のような隙間４７の発生を防止することができる。これによって結合係数の低下を防止することができる。【００１���】  図５乃至図８に示される、本発明に係る第二の実施形態のコモンモードチョークコイル１１では、図８（ａ）、（ｂ）、（ｃ）に示すような、巻線部１３の軸方向ＡＸの両端に鍔部１４が設けられ、該鍔部１４の下面には脚部１５ａ、１５ｂ、１５ｃ、１５ｄが設けられ、該巻線部１３の上面及び側面で形成される稜部の前記鍔部付近の側面領域に溝状の係止部１７ａ、１７ｂを垂直中心軸周りで点対称位置になるように形成したフェライトコア１２を用意し、図５に示すように、前記脚部１５ａ、１５ｂ、１５ｃ、１５ｄにそれぞれ端子電極１６ａ、１６ｂ、１６ｃ、１６ｄが設けられ、複数本（本実施形態では２本）の巻線Ａ、Ｂの端子接合部Ａ１、Ｂ１、Ａ２、Ｂ２がそれぞれ端子電極１６ａ、１６ｂ、１６ｃ、１６ｄに熱圧着などで導電接続されており、巻回部の端部Ａ３、Ｂ３、Ａ４、Ｂ４と端子接合部Ａ１、Ｂ１、Ａ２、Ｂ２との間をそれぞれ引出部Ａ１１、Ｂ１１、Ａ１２、Ｂ１２で連結されている。【００１７】  本実施形態では、係止部１７ａ、１７ｂが前記巻線部の上面及び側面で形成される稜部部分のみに形成された溝となっている。係止部１７ａ、１７ｂは、巻回部の端部Ａ３、Ｂ３、Ａ４、Ｂ４を押えることができればその効果を発揮することができる。従って本実施形態であれば、図２１のような隙間４７の発生を防止することができ、結合係数の低下を防止することができる。【００１８】  図９乃至図１２に示される、本発明に係る第三の実施形態のコモンモードチョークコイル２１では、図１２（ａ）、（ｂ）、（ｃ）に示すような、巻線部２３の軸方向ＡＸの両端に鍔部２４が設けられ、該鍔部２４の下面には脚部２５ａ、２５ｂ、２５ｃ、２５ｄが設けられ、該巻線部２３の上面及び側面で形成される稜部を含む前記鍔部付近の側面領域に上面から底面に向けて延びる突起状の係止部２７ａ、２７ｂを垂直中心軸周りで点対称位置になるように形成したフェライトコア２２を用意し、図９に示すように、前記脚部２５ａ、２５ｂ、２５ｃ、２５ｄにそれぞれ端子電極２６ａ、２６ｂ、２６ｃ、２６ｄが設けられ、複数本（本実施形態では２本）の巻線Ａ、Ｂの端子接合部Ａ１、Ｂ１、Ａ２、Ｂ２がそれぞれ端子電極２６ａ、２６ｂ、２６ｃ、２６ｄに熱圧着などで導電接続されており、巻回部の端部Ａ３、Ｂ３、Ａ４、Ｂ４と端子接合部Ａ１、Ｂ１、Ａ２、Ｂ２との間をそれぞれ引出部Ａ１１、Ｂ１１、Ａ１２、Ｂ１２で連結されている。【００１９】  本実施形態では、係止部２７ａ、２７ｂが側面に形成された、上面から底面方向に延びる突起となっている。突起状の係止部２７ａ、２７ｂによって、巻回部の端部Ａ３、Ｂ３、Ａ４、Ｂ４を押えることができる。このような構成により、図２１のような隙間４７の発生を防止することができるため、結合係数の低下を防止することができる。【００２０】  図１３乃至図１６に示される、本発明に係る第四の実施形態のコモンモードチョークコイル３１では、図１６（ａ）、（ｂ）、（ｃ）に示すような、巻線部３３の軸方向ＡＸの両端に鍔部３４が設けられ、該鍔部３４の下面には脚部３５ａ、３５ｂ、３５ｃ、３５ｄが設けられ、該巻線部３３の上面及び側面で形成される稜部を含む前記鍔部付近の上面領域に突起状の係止部３７ａ、３７ｂを垂直中心軸周りで点対称位置になるように形成したフェライトコア３２を用意し、図１３に示すように、前記脚部３５ａ、３５ｂ、３５ｃ、３５ｄにそれぞれ端子電極３６ａ、３６ｂ、３６ｃ、３６ｄが設けられ、複数本（本実施形態では２本）の巻線Ａ、Ｂの端子接合部Ａ１、Ｂ１、Ａ２、Ｂ２がそれぞれ端子電極３６ａ、３６ｂ、３６ｃ、３６ｄに熱圧着などで導電接続されており、巻回部の端部Ａ３、Ｂ３、Ａ４、Ｂ４と巻線Ａ、Ｂの端部Ａ１、Ｂ１、Ａ２、Ｂ２との間をそれぞれ引出部Ａ１１、Ｂ１１、Ａ１２、Ｂ１２で連結されている。【００２１】  本実施形態では、係止部３７ａ、３７ｂが巻線部３３面に形成された稜部部分のみに形成された突起となっている。本実施形態のような突起状の係止部３７ａ、３７ｂであっても、巻回部の端部Ａ３、Ｂ３、Ａ４、Ｂ４を押えることができる。このような構成により、図２１のような隙間４７の発生を防止することができるため、結合係数の低下を防止することができる。【００２２】  以上のような本発明に係るコア構造と巻線構造を備えるコモンモードチョークコイル１、１１、２１、３１は、高結合で良好な特性が得られ、信頼性が高く、高速差動伝送用として特に有効である。【００２３】  なお、念のために付言すれば、本発明のコモンモードチョークコイルは、コイルの外周を樹脂材で覆った樹脂モールドタイプやフェライトの板状磁性コアをフェライトコアの上面に接着剤などで取り付けた閉磁路構造のコモンモードチョークコイルも含むことは勿論である。
【図面の簡単な説明】
【図１】第一の実施形態のコモンモードチョークコイルを示す底面図である。
【図２】第一の実施形態のコモンモードチョークコイルを示す上面図である。
【図３】第一の実施形態のコモンモードチョークコイルを示す側面図である。
【図４】（ａ）は第一の実施形態のコモンモードチョークコイルのフェライトコアの底面図を示す。（ｂ）は同側面図を示す。（ｃ）はＷ−Ｗ‘の断面図を示す。
【図５】第二の実施形態のコモンモードチョークコイルを示す底面図である。
【図６】第二の実施形態のコモンモードチョークコイルを示す上面図である。
【図７】第二の実施形態のコモンモードチョークコイルを示す側面図である。
【図８】（ａ）は第二の実施形態のコモンモードチョークコイルのフェライトコアの底面図を示す。（ｂ）は同側面図を示す。（ｃ）はＸ−Ｘ‘の断面図を示す。
【図９】第三の実施形態のコモンモードチョークコイルを示す底面図である。
【図１０】第三の実施形態のコモンモードチョークコイルを示す上面図である。
【図１１】第三の実施形態のコモンモードチョークコイルを示す側面図である。
【図１２】（ａ）は第三の実施形態のコモンモードチョークコイルのフェライトコアの底面図を示す。（ｂ）は同側面図を示す。（ｃ）はＹ−Ｙ‘の断面図を示す。
【図１３】第四の実施形態のコモンモードチョークコイルを示す底面図である。
【図１４】第四の実施形態のコモンモードチョークコイルを示す上面図である。
【図１５】第四の実施形態のコモンモードチョークコイルを示す側面図である。
【図１６】（ａ）は第四の実施形態のコモンモードチョークコイルのフェライトコアの底面図を示す。（ｂ）は同側面図を示す。（ｃ）はＺ−Ｚ‘の断面図を示す。
【図１７】従来のコモンモードチョークコイルを示す底面図である。
【図１８】従来のコモンモードチョークコイルを示す上面図である。
【図１９】従来のコモンモードチョークコイルを示す側面図である。
【図２０】（ａ）は従来のコモンモードチョークコイルのフェライトコアの底面図を示す。（ｂ）は同側面図を示す。（ｃ）は同正面図を示す。
【図２１】従来のコモンモードチョークコイルの問題点を示す上面図である。
【符号の説明】
１、１１、２１、３１、４１  コモンモードチョークコイル
２、１２、２２、３２、４２  フェライトコア
３、１３、２３、３３、４３  巻線部
４、１４、２４、３４、４４  鍔部
５ａ、５ｂ、５ｃ、５ｄ、１５ａ、１５ｂ、１５ｃ、１５ｄ、２５ａ、２５ｂ、２５ｃ、２５ｄ、３５ａ、３５ｂ、３５ｃ、３５ｄ、４５ａ、４５ｂ、４５ｃ、４５ｄ  脚部
６ａ、６ｂ、６ｃ、６ｄ、１６ａ、１６ｂ、１６ｃ、１６ｄ、２６ａ、２６ｂ、２６ｃ、２６ｄ、３６ａ、３６ｂ、３６ｃ、３６ｄ、４６ａ、４６ｂ、４６ｃ、４６ｄ  端子電極
７ａ、７ｂ、１７ａ、１７ｂ  係止部（溝）
２７ａ、２７ｂ、３７ａ、３７ｂ  係止部（突起）
４７  隙間
Ａ、Ｂ  巻線
Ａ１、Ａ２、Ｂ１、Ｂ２  端子接合部
Ａ３、Ａ４、Ｂ３、Ｂ４  巻回部の端部
Ａ１１、Ａ１２、Ｂ１１、Ｂ１２  引出部。
ＡＸ  軸方向
Ｍ  巻回部
【図１】
2007208227.tif 000003
【図２】
2007208227.tif 000004
【図３】
2007208227.tif 000005
【図４】
2007208227.tif 000006
【図５】
2007208227.tif 000007
【図６】
2007208227.tif 000008
【図７】
2007208227.tif 000009
【図８】
2007208227.tif 000010
【図９】
2007208227.tif 000011
【図１０】
2007208227.tif 000012
【図１１】
2007208227.tif 000013
【図１２】
2007208227.tif 000014
【図１３】
2007208227.tif 000015
【図１４】
2007208227.tif 000016
【図１５】
2007208227.tif 000017
【図１６】
2007208227.tif 000018
【図１７】
2007208227.tif 000019
【図１８】
2007208227.tif 000020
【図１９】
2007208227.tif 000021
【図２０】
2007208227.tif 000022
【図２１】
2007208227.tif 000023